(57)【要約】【課題】使い捨ておむつから尿等が漏れ出すことによる寝具や衣類の汚染等を、効率的且つ経済的に防止することのできる補助吸収具を提供すること。【解決手段】使い捨ておむつの外面側に固定されて、該使い捨ておむつと共に着用される補助吸収具であって、液透過性の表面シート２、液不透過性の裏面シート及び両シート間に介在された液保持性の吸収体４を具備し、該表面シート２側に、機械的面ファスナーのオス部材からなる止着部５が、互いに離間させて複数設けられている補助吸収具１。【選択図】    図１
2004209170.tif 000002
【特許請求の範囲】
【請求項１】
使い捨ておむつの外面側に固定されて、該使い捨ておむつと共に着用される補助吸収具であって、
液透過性の表面シート、液不透過性の裏面シート及び両シート間に介在された液保持性の吸収体を具備し、該表面シート側に、機械的面ファスナーのオス部材からなる止着部が、互いに離間させて複数設けられている補助吸収具。
【請求項２】
前記複数の止着部は、少なくとも２つが、前記補助吸収具の周縁部に設けられており、該２つの止着部同士間の領域に、前記吸収体が、該２つの止着部同士間の距離の８０％以上の長さにわたって存在している請求項１記載の補助吸収具。
【請求項３】
一の前記止着部と他の前記止着部とを結ぶ方向に沿って弾性部材が伸張状態で固定されている請求項１又は２記載の補助吸収具。
【請求項４】
前記使い捨ておむつの股下部に固定される補助吸収具であって、該股下部の最小幅部分に配される部位の前記吸収体の幅が、該股下部の最小幅部分の幅よりも大きくなされている請求項１〜３の何れか記載の補助吸収具。
【請求項５】
前記吸収体は、前記股下部の両側縁の形状に沿う形状の一対の側縁部を有している請求項４記載の補助吸収具。
【請求項６】
前記使い捨ておむつの前身頃又は後身頃に固定される補助吸収具であって、前記吸収体は、該使い捨ておむつの前身頃又は後身頃に位置する一対のレッグ開口部それぞれの縁部に沿う形状の一対の側縁部を有している請求項１〜３の何れか記載の補助吸収具。
【請求項７】
前記使い捨ておむつの脇部に固定される補助吸収具であって、前記吸収体は、該使い捨ておむつの該脇部に位置するレッグ開口部の縁部に沿う形状の一側縁部を有している請求項１〜３の何れか記載の補助吸収具。
【発明の詳細な説明】
【０００１】
【発明の属する技術分野】
本発明は、使い捨ておむつから尿等が漏れ出すことによる寝具や衣類等の汚染等を、効率的且つ経済的に防止することのできる補助吸収具に関する。
【０００２】
【従来の技術及び発明が解決しようとする課題】
近年、おむつ交換に伴う労力的、経済的な負担を軽減すべく、補助吸収具（尿取りパッド）を使い捨ておむつと併用することが広く行われている（特許文献１，特許文献２参照）。
しかし、従来の補助吸収具は、外面側と内面側（着用者の肌側に向けられる面側）とを有する使い捨ておむつの内面側に配置して使用されるものであり、該補助吸収具が保持しきれないような量の尿が排泄された場合等には、尿がおむつ幅方向両側から漏れ出す場合がある。
また、補助吸収具の使用の有無を問わず、長時間同じ姿勢で寝ている老人や病人等においては、ある特定の場所から液が漏れ出すことが多いが、そのような液の漏れ出しによる寝具（シーツや布団等）や衣類等の汚染、不快感等を、効率的且つ経済的に防止できる補助吸収具は未だ提供されていない。
【０００３】
従って、本発明の目的は、使い捨ておむつから尿等が漏れ出すことによる寝具や衣類の汚染等を、効率的且つ経済的に防止することのできる補助吸収具を提供することにある。
【０００４】
【特許文献１】
特開平４−１２７５１号公報
【特許文献２】
特開平４−５１９５２号公報
【０００５】
【課題を解決するための手段】
本発明は、使い捨ておむつの外面側に固定されて、該使い捨ておむつと共に着用される補助吸収具であって、液透過性の表面シート、液不透過性の裏面シート及び両シート間に介在された液保持性の吸収体を具備し、該表面シート側に、機械的面ファスナーのオス部材からなる止着部が、互いに離間させて複数設けられている補助吸収具を提供することにより、上記の目的を達成したものである。
【０００６】
【発明の実施の形態】
以下、本発明をその好ましい実施形態に基づいて説明する。
先ず、本発明の第１実施形態の補助吸収具１について、図１〜図４を参照して説明する。
第１実施形態の補助吸収具１は、図１及び図２に示すように、液透過性の表面シート２、液不透過性の裏面シート３及び両シート間に介在された液保持性の吸収体４を具備し、該表面シート３側に、該補助吸収具１を使い捨ておむつに対して固定するための止着部５が複数設けられている。表面シート２及び裏面シート３は、吸収体４の周縁部において互いに接合されており、吸収体４は、表面シート２と裏面シート３との間に挟持固定されている。
【０００７】
第１実施形態の補助吸収具１は、図３及び図４に示すように、使い捨ておむつ６の股下部Ａに固定されるものである。
また、補助吸収具１は、該股下部Ａの最小幅部分に配される部位の前記吸収体４の幅Ｗ１（図１参照）が、使い捨ておむつ６の該股下部Ａの最小幅部分の幅Ｗ２（図４参照）よりも大きくなされている。
また、補助吸収具１及びその吸収体４は、それぞれ実質的に縦長に形成されており、該吸収体４の長手方向の中央部分に位置する左右一対の側縁部４１，４１が、使い捨ておむつ６における股下部Ａの両側縁の形状に沿う形状の円弧状とされている。
【０００８】
本発明における止着部５は、機械的面ファスナーのオス部材からなり、それぞれ、外面が不織布等の係合性に富む材料から形成されている使い捨ておむつの該外面に直接係合可能である。
本実施形態における２つの止着部は、互いに離間させて設けられており、それぞれ、補助吸収具１の周縁部、より具体的には、補助吸収具１の長手方向の両端部における表面シート２上に設けられている。
機械的面ファスナーのオス部材としては、その表面に錨形や鉤形等の多数の突起状の係合部材が配された各種公知のもの、例えば「マジックテープ」（登録商標・クラレ社製）、「クイックロン」（登録商標・ＹＫＫ社製）、「マジクロス」（登録商標・カネボウベルタッチ社製）等を用いることができる。
【０００９】
本実施形態における２つの止着部５，５間の領域には、吸収体４が、存在している。吸収体４は、おむつ股下部Ａの両側縁から漏れだした液を確実に吸収させる観点から、図１に示すように、両止着部５，５同士間の距離（補助吸収具を平面状にした状態における最短距離）Ｌ１の８０％以上の長さにわたって存在していることが好ましい。吸収体４が、両止着部５，５と重なる位置まで延在していても良い。尚、本実施形態の補助吸収具１の長さＬは２０〜６０ｃｍ程度である。
【００１０】
第１実施形態の補助吸収具１によれば、使い捨ておむつの股下部Ａに固定して用いることにより、股下部Ａの両側縁から液が漏れだした場合においても、その液を補助吸収具１に効率的に吸収保持させることができる。
しかも、機械的面ファスナーのオス部材からなる相互に離間した複数の止着部により固定するようにしたので、使い捨ておむつの必要な部位に安定的に固定することができ、補助吸収具の寸法や構造を、その固定等のために不必要に大きくしたり複雑化させたりする必要もない。
そのため、股下部の両側縁から液が漏れ出すことによる寝具や衣類の汚染、不快感等を効率的且つ経済的に防止することができる。
更に、使い捨ておむつの外面側に固定するものであるため、使い捨ておむつが少し汚れ、補助吸収具が汚れていない場合には、この補助吸収具をおむつから取り外して、新たなおむつに取り付けて使用できる利点もある。
【００１１】
第１実施形態の補助吸収具１は、図７（ａ）に示すように、一の止着部５ａと他の止着部５ｂとを結ぶ方向（長手方向と同じ）に沿って、弾性部材７が伸張状態で固定されていることが好ましい。弾性部材７により両止着部５，５に、相互に引き合うような力を作用させることで、各止着部のおむつに対する係合止着力が高まり、一層容易且つ安定な固定が可能となる。
【００１２】
次に、本発明の第２実施形態の補助吸収具１Ａについて、図５を参照して説明する。第２実施形態については、第１実施形態の補助吸収具１と異なる点について説明し、同様の点については同一の符号を付して説明を省略する。特に説明しない点については、第１実施形態についての説明が適宜適用される。
第２実施形態の補助吸収具１Ａは、使い捨ておむつ６の前身頃又は後身頃に固定されるものである。
補助吸収具１Ａ及びその吸収体４は、図５（ａ）に示すように、野球のホームベースを横長にしたような五角形状の形状を有しており、吸収体４における該五角形の斜辺部分を形成する一対の側縁部４２，４２は、着用状態における該使い捨ておむつの前身頃又は後身頃に位置する一対のレッグ開口部それぞれの縁部に沿う直線状ないし円弧状の形状とされている。
図５（ｂ）は、補助吸収具１Ａを、使い捨ておむつ６の前身頃に固定した状態を示しており、補助吸収具１Ａは、吸収体４の一対の前記側縁部４３，４３が、使い捨ておむつ６のレッグ開口部の各縁部から、着用者の肌上に延出するように配置されて固定される。補助吸収具１Ａの表面シート２側には、補助吸収具１Ａ固定用の止着部５が３カ所に設けられている。
【００１３】
第２実施形態の補助吸収具１Ａによれば、使い捨ておむつ６の前身頃又は後身頃に固定して用いることにより、前身頃又は後身頃に位置する使い捨ておむつの縁部から液が漏れだした場合においても、その液を該補助吸収具１Ａに効率的に吸収保持させることができる。そのため、前身頃又は後身頃に位置する使い捨ておむつの縁部から液が漏れ出すことによる寝具や衣類の汚染、不快感等を効率的且つ経済的に防止することができる。
【００１４】
次に、本発明の第３実施形態の補助吸収具１Ｂについて、図６を参照して説明する。第３実施形態については、第１実施形態の補助吸収具１と異なる点について説明し、同様の点については同一の符号を付して説明を省略する。特に説明しない点については、第１又は第２実施形態についての説明が適宜適用される。
第３実施形態の補助吸収具１Ｂは、図６（ｂ）に示すように、使い捨ておむつ６の脇部（おむつ着用時に着用者の側部に位置する部分）に固定されるものである。
補助吸収具１Ｂ及びその吸収体４は、図６（ａ）に示すように、一辺が円弧状に形成された略矩形状の形態を有しており、該吸収体４の円弧状に形成された一側縁部４３は、着用状態における使い捨ておむつの脇部に位置するレッグ開口部の縁部に沿って配される。
【００１５】
第３実施形態の補助吸収具１Ｂによれば、使い捨ておむつの左右の脇部の何れか一方に固定して用いることにより、該脇部に位置する使い捨ておむつの縁部から液が漏れだした場合においても、その液を該補助吸収具１Ｂに効率的に吸収保持させることができる。そのため、脇部に位置する使い捨ておむつの縁部から液が漏れ出すことによる寝具や衣類の汚染、不快感等を効率的且つ経済的に防止することができる。
【００１６】
尚、上述した各実施形態における表面シート２，裏面シート３及び吸収体４の形成材料としては、それぞれ、従来の補助吸収具や、使い捨ておむつ、生理用ナプキン等の吸収性物品において、液透過性の表面シート、液不透過性の裏面シート、液保持性の吸収体として用いられているものを特に制限なく用いることができる。
【００１７】
以上、本発明の好ましい実施形態について説明したが、本発明は上述した各実施形態に制限されることなく、本発明の趣旨を逸脱しない範囲において種々変更可能である。
例えば、本発明の補助吸収具を固定する部位は、上述した各実施形態の補助吸収具を固定する部位以外の部位であっても良い。
【００１８】
また、第１実施形態と同様に、第２及び第３実施形態の補助吸収具においても、一の止着部５ａと他の止着部５ｂとを結ぶ方向に沿って弾性部材７が伸張状態で固定されていることが好ましい（図７（ｂ），（ｃ）参照）。
図７に示す各補助吸収具においては、表面シート２と裏面シート３との間に糸状の弾性部材７を配してある。また、図７（ｂ）においては、周方向において隣接する全ての止着部同士間に弾性部材７が伸張状態で配されている。
弾性部材７は、一の止着部５ａと他の止着部５ｂとの間の距離の５０％以上、特に８０〜１００％の長さにわたって伸張状態で配されていることが好ましい。
弾性部材７は、吸収体の側縁の内側に配設しても外側に配設しても良く、更に吸収体の縁部の内側及び外側それぞれに弾性部材を配置したり、弾性部材が吸収体の側縁と交差するように配することもできる。尚、図７においては、吸収体の図示を省略してある。
補助吸収具に配設する弾性部材の形成素材としては、スチレン−ブタジエン、ブタジエン、イソプレン、ネオプレン等の合成ゴム、天然ゴム、ＥＶＡ、伸縮性ポリオレフィン、スパンデックス、発泡ポリウレタン等を挙げることができ、弾性部材の形態としては、糸状のもの（糸ゴム等）の他、平ゴム、薄膜状のもの等を挙げることができる。
【００１９】
また、補助吸収具と組み合わせて用いる使い捨ておむつは、長手方向の一方の部位にファスニングテープを有し、該ファスニングテープを他方の部位に止着して装着する、いわゆる展開型の使い捨ておむつであっても良いし、予めパンツ型の形態に形成された、いわゆるパンツ型の使い捨ておむつであっても良い。上述したレッグ開口部には、パンツ型の使い捨ておむつにおけるレッグ開口部のみならず、展開型の使い捨ておむつの着用状態に生じる脚用の開口部も含まれる。
【００２０】
【発明の効果】
本発明の補助吸収具によれば、使い捨ておむつから尿等が漏れ出すことによる寝具や衣類の汚染等を、効率的且つ経済的に防止することができる。
【図面の簡単な説明】
【図１】図１は、本発明の第１実施形態の補助吸収具を示す斜視図である。
【図２】図２は、図１のＸ−Ｘ線断面を模式的に示す断面図である。
【図３】図３は、図１の補助吸収具の使用状態を示す図で、該補助吸収具を使い捨ておむつの股下部に固定した状態を着用者の前側から見た図である。
【図４】図３は、図１の補助吸収具の使用状態を示す図で、該補助吸収具を使い捨ておむつの股下部に固定した状態を該股下部の下方から見た図である。
【図５】図５は、本発明の第２実施形態の補助吸収具を示す図で、（ａ）は表面シート側の面を示す平面図、（ｂ）は使用状態を示す図である。
【図６】図６は、本発明の第３実施形態の補助吸収具を示す図で、（ａ）は表面シート側の面を示す平面図、（ｂ）は使用状態を示す図である。
【図７】図７は、第１〜第３実施形態の補助吸収具に弾性部材を配する場合の好ましい弾性部材の配置を示す図である。
【符号の説明】
１，１Ａ，１Ｂ  補助吸収具
２      表面シート
３      裏面シート
４      吸収体
５      止着手段
６      使い捨ておむつ
７      弾性部材
【図１】
2004209170.tif 000003
【図２】
2004209170.tif 000004
【図３】
2004209170.tif 000005
【図４】
2004209170.tif 000006
【図５】
2004209170.tif 000007
【図６】
2004209170.tif 000008
【図７】
2004209170.tif 000009